(57)【要約】【課題】  ユーザがプリンタドライバを自己の画像処理装置にインストールする際に、そのプリンタドライバの印刷設定内容をユーザが所望する印刷設定内容に更新して自動的にインストールすることが可能な画像処理システムを提供することを目的とする。【解決手段】  本発明にかかる画像処理システムにおいて、印刷装置はユーザを特定するためのユーザ情報とユーザ情報に関連付けられた印刷設定情報を格納する格納部と、画像処理装置からの要求により印刷設定情報を画像処理装置に対して送信する送信部とを有し、画像処理装置は印刷装置を指定する指定部と、指定された印刷装置に対してユーザ情報を送信すると共にユーザ情報により特定された印刷設定情報を要求する送信部と、印刷装置から受信した印刷設定情報に基づいてプリンタドライバをインストールするインストール部とを有する。【選択図】図２
2008217097.tif 000002
【特許請求の範囲】
【請求項１】
印刷データを送信する画像処理装置と当該印刷データを受信して印刷する印刷装置からなる画像処理システムであって、
前記印刷装置はユーザを特定するためのユーザ情報と当該ユーザ情報に関連付けられた印刷設定情報を格納する格納部と、
前記画像処理装置からの要求により前記印刷設定情報を前記画像処理装置に対して送信する送信部とを有し、
前記画像処理装置は前記印刷装置を指定する指定部と、
前記指定された印刷装置に対してユーザ情報を送信すると共に当該ユーザ情報により特定された前記印刷設定情報を要求する送信部と、
前記印刷装置から受信した前記印刷設定情報に基づいてプリンタドライバをインストールするインストール部とを有することを特徴とする画像処理システム。
【請求項２】
前記印刷装置を指定する指定部は検索手段により検索された一群の前記印刷装置から所望の前記印刷装置を選択する手段を有することを特徴とする請求項１に記載の画像処理システム。
【請求項３】
前記印刷装置から前記印刷設定情報を取得することが出来ない場合に前記印刷装置から前記印刷設定情報を取得出来なかった旨を前記画像処理装置の外部表示部に表示することを特徴とする請求項１又は請求項２に記載の画像処理システム。
【請求項４】
前記印刷設定情報は設定内容を変更することを許可するか否かの情報を含むことを特徴とする請求項１乃至３のいずれかに記載の画像処理システム。
【請求項５】
前記印刷設定情報はユーザにプリンタドライバのインストールを許可するか否かの情報を含めていることを特徴とする請求項１乃至４のいずれかに記載の画像処理システム。
【発明の詳細な説明】
【技術分野】
【０００１】
本発明は、ドライバソフトウェアをインストールする画像処理システムに関するものである。
【背景技術】
【０００２】
従来、ユーザがネットワーク等に接続されたプリンタを使用し、所望の印刷結果を得るためには、自己が使用する画像処理装置にプリンタドライバをインストールした後に、各ユーザはプリンタドライバの設定を個別に設定変更する。
【０００３】
例えば、特許文献１には、従来のプリンタドライバに付随した付加機能として、コンピュータ上の文章に、印刷時文章、イメージ、グラフィックスなどを注釈およびコメントとして挿入する手段、挿入時に現在の印刷するページイメージ部分に前記注釈を挿入するスペースを生成する手段及び生成した画像プレビューとして画面上に表示させる手段を有するプリンタドライバプログラムが開示されている。
【０００４】
【特許文献１】特開２００１−１０１１６３号公報
【発明の開示】
【発明が解決しようとする課題】
【０００５】
しかしながら、従来のプリンタドライバあるいは特許文献１に記載されているプリンタドライバのいずれにおいても、ユーザは自己が使用する画像処理装置にプリンタドライバをインストールした後、初期設定でインストールされたプリンタの印刷設定項目を改めてユーザが所望する設定に再設定しなければならない。本操作は手間がかかる上、再設定し忘れると初期設定に基づいて印刷が行われることとなり、印刷用紙を無駄に消費してしまうという問題点もあった。
【０００６】
また、印刷装置を管理する管理者が、各ユーザに対して印刷制限を課したい場合に、管理者は、各ユーザが使用するそれぞれの画像処理装置毎に設定を行わなければならず、管理者にとって大変負担が大きいという問題点もあった。
【０００７】
本発明は、このような事情に鑑みてなされたものであり、本発明の課題は、ユーザがプリンタドライバを自己の画像処理装置にインストールする際に、そのプリンタドライバの印刷設定内容をユーザが所望する印刷設定内容に更新して自動的に
インストールすることが可能な画像処理システムを提供することを目的とする。
【課題を解決するための手段】
【０００８】
上記課題を解決するために本発明にかかる画像処理システムは、印刷データを送信する画像処理装置と印刷データを受信して印刷する印刷装置からなる画像処理システムであって、印刷装置はユーザを特定するためのユーザ情報とユーザ情報に関連付けられた印刷設定情報を格納する格納部と、画像処理装置からの要求により印刷設定情報を画像処理装置に対して送信する送信部とを有し、画像処理装置は印刷装置を指定する指定部と、指定された印刷装置に対してユーザ情報を送信すると共にユーザ情報により特定された印刷設定情報を要求する送信部と、印刷装置から受信した印刷設定情報に基づいてプリンタドライバをインストールするインストール部とを有することを特徴とする。
【０００９】
ユーザあるいは管理者は、印刷装置を使用するユーザを予めユーザ情報として印刷装置に登録しておき、さらに、各ユーザの印刷設定情報を印刷装置に設定し保存しておく。また、本印刷装置は、画像処理装置からの要求があった場合には印刷設定情報を画像処理装置に対して送信する。
【００１０】
ユーザは、ドライバプログラムをインストールする際に、どの印刷装置を使用するかを指定する。指定された印刷装置に対してユーザ情報が送信され、ユーザ情報を受信した印刷装置は、送信されたユーザ情報によって特定された印刷設定情報を画像処理装置に対して送信することとなる。
【００１１】
印刷装置から送信された印刷設定情報に基づいて設定内容が変更されたプリンタドライバが画像処理装置に対してインストールされることとなる。
【発明の効果】
【００１２】
本発明にかかる画像処理システムによれば、ユーザは自己が使用する画像処理装置にプリンタドライバをインストールした後に、印刷装置の印刷設定項目の再設定を行う必要がなく、手間を省くことができ、さらに再設定の失念による印刷用紙の浪費を防ぐことが可能となる。
【００１３】
また、印刷設定項目の内容を印刷装置側で設定することが可能となるため、例えば、印刷制限を課す場合等において、管理者はこれらの制限を一元的に管理することが可能となる。
【発明を実施するための最良の形態】
【００１４】
（第１の実施例）
本発明の実施例１の構成について、図１から図４を用いて説明を行う。
図１は、本発明における概略構成を示すブロック図である。
【００１５】
ネットワーク１２１には、画像処理装置１００と、印刷装置１１０、１１９、１２０が接続されており、双方向でのデータの送受信が可能である。
【００１６】
画像処理装置１００は、各種処理を行うＣＰＵ（Ｃｅｎｔｒａｌ  Ｐｒｏｃｅｓｓｉｎｇ  Ｕｎｉｔ）１０１と、キーボード等の入力装置１０５と、ＣＲＴ（Ｃａｔｈｏｄｅ  Ｒａｙ  Ｔｕｂｅ）ディスプレイなどの表示装置１０６と、ＣＤ−ＲＯＭ（Ｃｏｍｐａｃｔ  Ｄｉｓｋ−Ｒｅａｄ  Ｏｎｌｙ  Ｍｅｍｏｒｙ）ドライブなどの外部記憶装置１０７とを備えている。
【００１７】
また、画像処理装置１００は、上記ハードウェアを管理するためのオペレーティングシステム１０２、さらに、印刷データを生成するプリンタドライバ１２２と、プリンタドライバ１２２を画像処理装置１００にインストールを行うインストール部１０８と、ユーザ情報及びプリンタドライバ１２２で生成された印刷データを印刷装置１００へ送信する送信部１０４と、印刷装置１１０から印刷設定情報を受信する受信部１０９及び特定の印刷装置を指定する指定部１０３とを備える。
【００１８】
印刷装置１１０は、各種処理を行うＣＰＵ１１１と、制御プログラムを格納しているＲＯＭ（Ｒｅａｄ  Ｏｎｌｙ  Ｍｅｍｏｒｙ）１１２と、オペレーションパネルやＬＣＤ（Ｌｉｑｕｉｄ  Ｃｒｙｓｔａｌ  Ｄｉｓｐｌａｙ）等の操作部１１５と、ＲＡＭ（Ｒａｎｄｏｍ  Ａｃｃｅｓｓ  Ｍｅｍｏｒｙ）１１３と、画像処理装置１００から送信されたユーザ情報を受信する受信部１１８と、ユーザ情報に関連付けられた印刷設定情報を格納する格納部１１６と、受信部１１８で受信したユーザ情報で特定された印刷設定情報を格納部１１６から読み出し、画像処理装置１００へ送信する送信部１１４とを備える。
【００１９】
図２は、画像処理装置１００のインストール部１０８と、プリンタドライバ１２２との相関を説明する図である。
【００２０】
インストール部１０８は、印刷装置１１０から受信した印刷設定情報２０４と、印刷設定情報を解析する印刷設定情報解析部２０７と、プリンタドライバ１２２を画像処理装置１００にインストールを行うプリンタドライバインストール部２０６とから構成されている。
【００２１】
一方、プリンタドライバ１２２は、設定を保存している設定情報２０１と、設定情報２０１に保存されている設定情報に従い、ユーザに設定状況を表示し、またユーザが表示されている印刷設定情報を変更する操作が可能であるユーザインタフェース制御部２０３及び印刷装置１１０で印刷を行わせるためのデータを生成する描画印刷データ制御部２０２とから構成されている。
【００２２】
プリンタドライバ１２２がインストールされた直後の初期値は設定情報２０１に記録されており、インストール部１０８の印刷設定情報解析部２０７は、受信した印刷設定情報を解析し、プリンタドライバ１２２の設定情報２０１のデータ更新を行う。
【００２３】
図３は、印刷装置１１０の格納部１０６に格納されているユーザ毎の印刷設定情報の構造を示したものである。
本例では、ユーザとして「山田」、「小林」及び「伊東」がユーザとして登録されていることを示している。例として「山田」に対応した印刷設定情報は、「カラーモノクロ設定」はＭｏｎｏ、「両面印刷設定」長辺    となっている。モノクロ印刷、長編綴じの両面印刷設定が「山田」の印刷設定情報であること示している。
【００２４】
図４は、印刷装置１１０にユーザ毎の設定情報を設定する際の設定画面例を示す。
設定画面４００は、ユーザ名入力欄４０１と、カラーモノクロ設定入力欄４０３と、両面印刷設定入力欄４０４と、登録ボタン４０５と、削除ボタン４０６と、終了ボタン４０７から構成される。
【００２５】
ユーザ名入力欄４０１は、登録するユーザ名を入力する。本例では、「山田」がユーザ名である。
【００２６】
カラーモノクロ設定入力欄４０３は、印刷装置１１０で印刷を行わせる場合にプリンタドライバ１２２の設定をカラー印刷にするかモノクロ印刷にするかの設定である。本例では、モノクロ印刷の設定である。
【００２７】
両面印刷設定入力欄４０４は両面印刷を使用するか、また使用した場合の綴じ方を指定する。本例では、両面印刷で長辺綴じの設定である。
【００２８】
登録ボタン４０５は、ユーザ名入力欄４０１、カラーモノクロ設定入力欄４０３、両面印刷設定入力欄４０４で入力された設定情報を印刷装置１１０の格納部１１６へ格納を行う。
【００２９】
削除ボタン４０６は、印刷装置１１０からユーザ名入力欄４０１で入力されたユーザ用設定情報を印刷装置１１０の格納部１１６から削除を行う。
【００３０】
終了ボタン４０７は、登録ボタン４０５と同じ動作を行い、設定画面４００を閉じて終了する。
【００３１】
次に本実施例にかかる動作について図５〜図８を用いて説明する。
本実施例はユーザ「山田」がプリンタドライバをインストールした時点で自動的にモノクロ印刷で、かつ、長辺綴じ両面印刷設定となる例である。
【００３２】
図５のフローチャートは、印刷装置１１０の格納部１１６へのユーザ情報と印刷設定情報が格納される処理動作を説明する図である。
【００３３】
まず、ユーザは、印刷装置１１０の操作部１１５に設定画面４００を表示させる（Ｓ１−１）。ここで、ユーザ名入力欄４０１にユーザ名が入力された場合（Ｓ１−２）、入力されたユーザ名に関連付けられた印刷設定情報が格納部１１６から読み出され、印刷装置１１０の操作部１１５に表示がなされる。また、入力されたユーザ名が格納部１１６に登録されていない場合は、カラーモノクロ設定入力欄４０３及び両面印刷設定入力欄４０４は空白表示となる（Ｓ１−３）。
【００３４】
次に、ユーザが設定を変更した後に登録ボタン４０５を押した場合は（Ｓ１−４）、格納部１１６にユーザ情報及び変更された印刷設定情報が格納される。すでに、ユーザが登録されている場合には、印刷設定情報の更新がなされ（Ｓ１−７）、処理動作はＳ１−６に移行する。
【００３５】
登録ボタン４０５が押されずに、削除ボタン４０６が押された場合には（Ｓ１−５）、入力されたユーザ情報及び関連付けられた印刷設定情報は、格納部１１６から削除され（Ｓ１−８）、処理動作はＳ１−６に移行する。
【００３６】
Ｓ１−６において、終了ボタン４０７が押された場合には、格納部１１６にユーザ情報及び印刷設定情報を格納、または、すでにユーザが登録されている場合には印刷設定の情報の更新を行い、設定画面を終了させる（Ｓ１−９）。
【００３７】
図６は、インストール部１０８の処理動作を説明するフローチャートである。
インストール処理起動時、ユーザは印刷を行わせる印刷装置１１０を指定する指定画面を表示させる（Ｓ２−１）。
【００３８】
ユーザが印刷装置１１０を指定した場合、送信部１０４を介して画像処理装置１００でインストール処理を起動したユーザ情報を指定された印刷装置１１０に対して送信する（Ｓ２−２）。
【００３９】
印刷装置１１０は、受信部１１８においてユーザ情報を受信し、格納部１１６から受信したユーザ情報に関連付けられた印刷設定情報の検索を行う（Ｓ３−１）。検索した結果、ユーザ情報に関連付けられた印刷設定情報が存在しなかった場合は、印刷設定情報が存在しなかった旨を画像処理装置１００に対し送信部１１４を介して送信する（Ｓ３−４）。
【００４０】
ユーザ情報に関連付けられた印刷設定情報を検索した結果、ユーザ情報に関連付けられた印刷設定情報が存在した場合には、検出された印刷設定情報を画像処理装置１００に対し送信部１１４を介して送信する（Ｓ３−３）
【００４１】
画像処理装置１００は、印刷装置１１０から受信部１０９を介して送信データを受信する。印刷設定情報が送信されてきた場合には、インストール部１０８内の印刷設定情報解析部２０７にて印刷設定情報を解析し、プリンタドライバ１２２の設定内容２０１を更新し、プリンタドライバ１２２のインストールを実行する（Ｓ２−５）。
【００４２】
印刷装置１１０から印刷設定情報が存在しない旨の情報が送信されてきた場合には、インストール部１０８内の印刷設定情報解析部２０７は、プリンタドライバ１２２の設定情報２０１の更新は行わず、印刷設定初期値が登録されている設定情報２０１を用いてプリンタドライバ１２２のインストールを実行する（Ｓ２−５）。
【００４３】
図７は、プリンタドライバ１２２の設定情報２０１の更新例を示したものである。
本例では、両面印刷はＯＦＦ、カラーモノクロ印刷はＣｏｌｏｒが初期値であることを示している。
【００４４】
印刷装置１１０から受信部１０９を介して図３に示した「山田」の印刷設定情報を受信した後、印刷設定情報解析部２０７にて解析を行い、設定情報２０１のデータを両面印刷はＯＮ、両面印刷綴じ＝長辺、カラーモノクロ設定をＭｏｎｏへと更新する。
【００４５】
図８は本実施例にてインストールされたプリンタドライバ１２２の設定画面を示したものである。
図３の例で示したデータと同じく、プリンタドライバ１２２の設定は、モノクロ印刷、長辺綴じの両面印刷が自動的に更新される。
【００４６】
本実施例においては、画像処理装置１００と印刷装置１１０の接続形態そしてネットワーク接続を例としてあげたが、その他に、パラレル、ＵＳＢ（Ｕｎｉｖｅｒｓａｌ  Ｓｅｒｉａｌ  Ｂｕｓ）接続等でも良い。
【００４７】
本発明において、画像処理装置１１０を使用しているユーザごとに個別に設定をもったプリンタドライバ１２２を自動的にインストールすることが可能となる。また、プリンタ毎に印刷設定情報を登録することで、プリンタに対するユーザ制御が可能となる。
【００４８】
つまり、
・ カラーＮＩＰ（Ｎｏｎ  Ｉｍｐａｃｔ  Ｐｒｉｎｔｉｎｇ）プリンタ：カラー不可、２０ページ印刷
・ モノクロプリンタ：２０ページ印刷、両面印刷
・ インクジェットプリンタ：カラー印刷可能
等、個々のプリンタにおいて印刷設定を行うことにより、プリンタに対するユーザ制御が課せられることとなり、ユーザは許可された印刷機能のみを利用することになる。
【００４９】
（第２の実施例）
本発明の実施例２の構成について、実施例１の構成との差異を図１０を用いて説明する。
図９は、本発明における概略構成を示すブロック図である。
【００５０】
ネットワーク１２１には、画像処理装置１００と、印刷装置１１０、１１９、１２０が接続されており、双方向でのデータの送受信が可能である。
【００５１】
画像処理装置１００は、各種処理を行うＣＰＵ１０１と、キーボード等の入力装置１０５と、ＣＲＴディスプレイ１０６などの表示装置と、ＣＤ−ＲＯＭドライブなどの外部記憶装置１０７とを備えている。
【００５２】
また、画像処理装置１００は、上記ハードウェアを管理するためのオペレーティングシステム１０２、さらに、印刷データを生成するプリンタドライバ１２２と、プリンタドライバ１２２を画像処理装置１００にインストールを行うインストール部１０８と、ネットワーク上に接続されている印刷装置をＳＮＭＰ（Ｓｉｍｐｌｅ  Ｎｅｔｗｏｒｋ  Ｍａｎａｇｅｍｅｎｔ  Ｐｒｏｔｏｃｏｌ）を用いて検索する検索部２００１と、ユーザ情報及びプリンタドライバ１２２で生成された印刷データ及び検索部２００１で使用するＳＮＭＰを印刷装置１００へ送信する送信部１０４と、印刷装置１１０から印刷設定情報やＳＮＭＰに応答するデータを受信する受信部１０９及び特定の印刷装置を指定する指定部１０３とを備える。
【００５３】
印刷装置１１０は、各種処理を行うＣＰＵ１１１と、制御プログラムを格納しているＲＯＭ１１２と、オペレーションパネルやＬＣＤ等の操作部１１５と、ＲＡＭ１１３と、画像処理装置１００から送信されたユーザ情報やＳＮＭＰを受信する受信部１１８と、ユーザ情報に関連付けられた印刷設定情報を格納する格納部１１６と、受信部１１８で受信したユーザ情報で特定された印刷設定情報を格納部１１６から読み出し、画像処理装置１００へ送信する送信部１１４とを備える。
その他の構成は実施例１と略同じである。
【００５４】
図１０は、インストール部１０８の処理動作を説明するフローチャートである。
インストール処理起動時、画像処理装置１００は、ネットワークインタフェースを介してネットワークに接続されている印刷装置をＳＮＭＰのブロードキャストを用いて検索を行う（Ｓ２００−１）。印刷装置がネットワーク上で検索された場合には、表示装置１０６は、検索された印刷装置を表示する（Ｓ２００−２）。
【００５５】
図１１は、ＳＮＭＰのブロードキャストにより検索され表示装置１０６に表示された印刷装置一覧の一例を示したものである。本例では、「プリンタＡ」、「プリンタＢ」、「プリンタＣ」が検出されたことを示している。
【００５６】
次に、ユーザは表示装置１０６に表示された印刷装置一覧から印刷を行わせる印刷装置１１０を指定する（Ｓ２００−３）。
【００５７】
ユーザが指定した印刷装置１１０に送信部１０４を介して画像処理装置１００でインストール処理を起動したユーザ情報を指定された印刷装置１１０に対して送信する（Ｓ２００−４）。
【００５８】
印刷装置１１０は、受信部１１８においてユーザ情報を受信し、格納部１１６から受信したユーザ情報に関連付けられた印刷設定情報の検索を行う（Ｓ２００−５）。検索した結果、ユーザ情報に関連付けられた印刷設定情報が存在しなかった場合は、印刷設定情報が存在しなかった旨を画像処理装置１００に対し送信部１１４を介して送信する（Ｓ３−４）。
【００５９】
ユーザ情報に関連付けられた印刷設定情報を検索した結果、ユーザ情報に関連付けられた印刷設定情報が存在した場合には、検索された印刷設定情報を画像処理装置１００に対し送信部１１４を介して送信する（Ｓ３−３）
【００６０】
画像処理装置１００は、印刷装置１１０から受信部１０９を介して送信データを受信し、印刷設定情報が送信されてきたか否かの判断を行い（Ｓ２００−６）、印刷設定情報が送られてきた場合は、インストール部１０８にて受信した印刷設定情報を印刷設定情報解析部２０７にて解析し、プリンタドライバ１２２の設定情報２０１を更新し、プリンタドライバ１２２のインストールを開始する（Ｓ２００−７）。
【００６１】
印刷装置１１０から印刷設定情報が存在しない旨の情報が送信されてきた場合には、印刷設定情報解析部２０７は、プリンタドライバ１２２の設定情報２０１の更新は行わず、印刷設定初期値が登録されている設定情報２０１を用いてプリンタドライバ１２２のインストールを実行する（Ｓ２００−８）。
【００６２】
また、インストール処理起動時、ネットワークインタフェースを介して接続している印刷装置をＳＮＭＰブロードキャストを用いて検索を行い、印刷装置１００がネットワーク上で検索することが出来なかった場合には、プリンタドライバ１２２のインストールを終了する（Ｓ２００−１０）。
【００６３】
以上のように第２の実施例によれば、第１の実施例の効果に加え、ユーザが印刷装置のネットワークアドレスなどの印刷装置を指定するための情報を知らなくとも、ＳＮＭＰブロードキャストによって、印刷装置は自動的に検索され、ユーザビリティを向上させることが可能である。
【００６４】
（第３の実施例）
本発明の実施例３の構成について、実施例１の構成との差異を図１２及び図１３を用いて説明する。
実施例３にかかる装置構成、及び画像処理装置１００のインストール部１０８と、プリンタドライバ１２２との相関に関してはそれぞれ図１及び図２と同じ構成である。
【００６５】
図１２は、印刷装置１１０の格納部１０６に格納されているユーザ毎の印刷設定情報の構造を示したものである。
本例では、ユーザとして「山田」、「小林」、「伊東」がユーザとして登録されていることを示している。また、例としてユーザの「山田」に関連付けられている印刷設定情報は、「カラーモノクロ設定」はＭｏｎｏ、「両面印刷設定」は長辺及び「変更可否」はＯＦＦとなっている。これは、本表示が、モノクロ印刷、長編綴じの両面印刷設定及び設定の変更は不可であることを示している。
【００６６】
図１３は、印刷装置１１０にユーザ毎の設定情報を設定する設定画面例である。したものである。
【００６７】
設定画面４００は、ユーザ名入力欄４０１と、変更許可入力３００１と、カラーモノクロ設定入力欄４０３と、両面印刷設定入力欄４０４と、登録ボタン４０５と、削除ボタン４０６及び終了ボタン４０７とを備える。
【００６８】
ユーザ名入力欄４０１には登録するユーザ名を入力する。本例においては、「山田」がユーザ名となる。
【００６９】
カラーモノクロ設定入力欄４０３は、印刷装置で印刷を行わせる場合にプリンタドライバ１２２の設定をカラー印刷にするかモノクロにするかの設定である。本例では、モノクロ印刷の設定である。
【００７０】
両面印刷設定入力欄４０４は両面印刷を使用するか、また使用した場合の綴じ方を指定する。本例では、両面印刷で長辺綴じの設定である。
【００７１】
変更許可入力３００１は、カラーモノクロ設定入力欄４０３及び両面印刷設定入力欄４０４で入力された設定に対応するプリンタドライバ１２２の設定変更を許可するか否かを示しており、本例ではＯＦＦの設定となっており、変更不可であることを示している。
【００７２】
登録ボタン４０５は、ユーザ名入力欄４０１、カラーモノクロ設定入力欄４０３、両面印刷設定入力欄４０４で入力された設定情報を印刷装置１１０の格納部１１６の格納部への格納を行う。
【００７３】
削除ボタン４０６は、ユーザ名入力欄４０１で入力されたユーザ用設定情報を印刷装置１１０の格納部１１６からの削除を行う。
【００７４】
終了ボタン４０７は、登録ボタン４０５と同じ動作を行い、設定画面４００を閉じて終了する。
【００７５】
図１４はインストール部１０８によりインストールされた後のプリンタドライバ１２２の処理動作について説明する図である。
本実施例は、図１３に記載の「山田」がプリンタドライバ１２２をインストール後、カラーモノクロ設定を変更する場合の動作例を説明するものである。
【００７６】
インストール部１０８によりプリンタドライバ１２２がインストールされた後、プリンタドライバ表示動作が起動された場合、プリンタドライバ１２２は設定情報２０１を読み取り、現在の設定情報をプリンタドライバ１２２のユーザインタフェースに表示する（Ｓ３００−１）。
【００７７】
その状態で、ユーザはカラーモノクロ設定情報の変更をモノクロからカラー印刷への設定の変更を行う（Ｓ３００−２）。その後、プリンタドライバ１２２は設定情報２０１内の変更可否情報を読み出す（Ｓ３００−３）。
【００７８】
ＯＦＦ（不許可）の場合は、変更が許可されていないことをプリンタドライバ１２２のインタフェースに表示し、設定情報の更新は行わない（Ｓ３００−６）。また、ＯＮ（許可）の場合は、変更された設定を設定情報２０１に書き込み、表示動作を終了する。
【００７９】
図１５は、本実施例でプリンタドライバインタフェースに表示された変更できない旨をユーザに通知する一例を示したものである。
本例では、ユーザ「山田」はカラーモノクロ設定の変更許可はＯＦＦであるため、ユーザ「山田」はプリンタドライバ１２２でカラーモノクロ設定の変更を行った場合には、図１５のような表示が表示される。
【００８０】
以上のように第３の実施例によれば、第１の効果に加え、ユーザがプリンタドライバの設定を個別に行うことを制限でき、管理者が個々のプリンタドライバ設定を強制することが可能となる。
【００８１】
（第４の実施例）
本発明の実施例４の構成について、実施例１の構成との差異を図１６及び図１７を用いて説明する。
実施例４にかかる装置構成、及び画像処理装置１００のインストール部１０８と、プリンタドライバ１２２との相関に関してはそれぞれ図１及び図２と同じ構成である。
【００８２】
図１６は印刷装置１１０の格納部１０６に格納されているユーザ毎の印刷設定情報の構造を示したものである。
本例では、ユーザとして「山田」、「小林」、「伊東」及び「未定義」がユーザとして登録されていることを示している。例として、「未定義」に対応した印刷設定情報は、「カラーモノクロ設定」はＭｏｎｏ、「両面印刷設定」は長辺、及び「インストール許可」はＯＦＦとなっている。モノクロ印刷、長辺綴じの両面印刷設定及びプリンタドライバのインストールは不可であることが「未定義」ユーザの印刷設定情報であることを示している。「未定義」は「山田」「小林」「伊東」以外のユーザ名の設定であることを示し、例えば「山本」がユーザである場合は、「未定義」ユーザとして扱われる。
【００８３】
図１７は印刷装置１１０にユーザ毎の設定情報を設定する設定画面例である。
設定画面４００は、ユーザ名入力欄４０１と、インストール許可入力欄４００５と、カラーモノクロ設定入力欄４０３と、両面印刷設定入力欄４０４と、登録ボタン４０５と、削除ボタン４０６と、終了ボタン４０７から構成される。
【００８４】
ユーザ名入力欄４０１は、登録するユーザ名を入力する。本例では、「未定義」がユーザ名である。
【００８５】
カラーモノクロ設定入力欄４０３は、印刷装置１１０で印刷を行わせる場合にプリンタドライバ１２２の設定をカラー印刷にするかモノクロ印刷にするかの設定である。本例では、モノクロ印刷の設定である。
【００８６】
両面印刷設定入力欄４０４は両面印刷を使用するか、また使用した場合の綴じ方を指定する。本例では、両面印刷で長辺綴じの設定である。
【００８７】
インストール許可入力欄４００５は、画像処理装置１００でプリンタドライバ１２２をインストールさせるか否かを示した設定情報である。本例では、設定はＯＦＦであるため、プリンタドライバ１２２のインストールを許可しない設定であることを示している。
【００８８】
登録ボタン４０５は、ユーザ名入力欄４０１、カラーモノクロ設定入力欄４０３、両面印刷設定入力欄４０４で入力された設定情報を印刷装置１１０の格納部１１６の格納部への格納を行う。
【００８９】
削除ボタン４０６は、ユーザ名入力欄４０１で入力されたユーザ用設定情報を印刷装置１１０の格納部１１６からの削除を行う。
【００９０】
終了ボタン４０７は、登録ボタン４０５と同じ動作を行い、設定画面４００を閉じて終了する。
【００９１】
図１８はインストール部１０８の処理動作を説明する図である。
ユーザは、インストール処理起動時、ユーザが印刷を行わせる印刷装置１１０を指定する指定画面を表示する（Ｓ５００−１）。
【００９２】
ユーザが印刷装置を指定した場合、送信部１０４を介して画像処理装置１００でインストール処理を起動したユーザ情報を指定された印刷装置１１０に対して送信する（Ｓ５００−２）。
【００９３】
印刷装置１１０は、受信部１１８においてユーザ情報を受信し、格納部１１６のデータからユーザ情報に関連付けられた印刷設定情報の検索を行う（Ｓ３−１）。
【００９４】
検索した結果、ユーザ情報に関連付けられた印刷設定情報が存在しなかった場合には、「未定義」ユーザとして格納されている印刷設定情報をユーザ情報を送信してきた画像処理装置１００へ送信部１１４を介して送信する（Ｓ４０３−１）。
【００９５】
本例では、ユーザ情報が「山本」であり、図１８では適合する名称は存在しないため、「未定義」ユーザとして判断され、「未定義」ユーザの情報が画像処理装置１００へ送信される。
【００９６】
画像処理装置１００は、印刷装置１００から受信部１０９を介して送信データを受信し、印刷設定情報が送信されてきた場合は、インストール部１０８にて受信した印刷設定情報を印刷設定情報解析部２０７にて解析し、「インストール許可」の判定を行う（Ｓ５００−４）。
【００９７】
本「インストール許可」がＯＦＦの場合にはインストール部１０８、プリンタドライバ１２２のインストール処理の実行を行わない（Ｓ５００−６）。「インストール許可」がＯＮの場合には、プリンタドライバ１２２の設定情報２０１を更新し、プリンタドライバ１２２のインストールを実行する（Ｓ５００−５）。
【００９８】
本例では、画像処理装置１００が受信した印刷設定情報内の「インストール許可」はＯＦＦであることが判定される。よって、画像処理装置１００ではプリンタドライバ１２２のインストール処理は実行されず、プリンタドライバ１２２はインストールされないこととなる。
【００９９】
以上のように、第４の実施例によれば、第１の実施例の効果に加え、プリンタドライバのインストールが許可されていないユーザのプリンタドライバのインストールを抑止することが可能になり、不特定の人にプリンタを使用することに対する制限を課すことが可能となる。
【０１００】
すべての実施例はプリンタであり、コピー機やＦＡＸ、複合機等に対して適用が可能である。
【０１０１】
また、インストールする際は、ユーザ設定をサーバに問い合わせる形態としてもよい。その場合、サーバは以下の表１に示したようなテーブル情報を有し、インストール部からユーザ名とプリンタ名を取得し、それに対応する設定情報を送信する。
【０１０２】
【表１】
2008217097.tif 000003
【０１０３】
なお、上述した各実施形態は、本発明の好適な実施形態であるが、本発明はこれに限定されるものではなく、本発明の趣旨を逸脱しない範囲において、各構成は、適宜変更可能である。
【図面の簡単な説明】
【０１０４】
【図１】本発明における概略構成を示すブロック図である。
【図２】画像処理装置のインストール部と、プリンタドライバとの相関を説明する図である。
【図３】ユーザ毎の印刷設定情報の構造を示したものである。
【図４】ユーザ毎の設定情報を設定する際の設定画面例である。
【図５】ユーザ情報と印刷設定情報が格納される処理動作を説明する図である。
【図６】インストール部の処理動作を説明するフローチャートである。
【図７】プリンタドライバの設定情報の更新例を示したものである。
【図８】インストールされたプリンタドライバの設定画面を示したものである。
【図９】本発明における概略構成を示すブロック図である。
【図１０】インストール部の処理動作を説明するフローチャートである。
【図１１】ＳＮＭＰのブロードキャストにより検索され表示装置に表示された印刷装置一覧の一例を示したものである。
【図１２】ユーザ毎の印刷設定情報の構造を示したものである。
【図１３】ユーザ毎の設定情報を設定する設定画面例である。
【図１４】インストールされた後のプリンタドライバの処理動作について説明する図である。
【図１５】本実施例でプリンタドライバインタフェースに表示された変更できない旨をユーザに通知する一例を示したものである。
【図１６】ユーザ毎の印刷設定情報の構造を示したものである。
【図１７】ユーザ毎の設定情報を設定する設定画面例である。
【図１８】インストール部の処理動作を説明するフローチャートである。
【符号の説明】
【０１０５】
１００    画像処理装置
１０１    ＣＰＵ
１０２    オペレーティングシステム
１０３    指定部
１０４    送信部
１０５    入力装置
１０６    表示装置
１０７    外部記憶装置
１０８    インストール部
１０９    受信部
１１０    印刷装置
１１１    ＣＰＵ
１１２    ＲＯＭ
１１３    ＲＡＭ
１１４    送信部
１１５    操作部
１１６    格納部
１１８    受信部
１１９    印刷装置
１２０    印刷装置
１２１    ネットワーク
１２２    プリンタドライバ
２０１    設定情報
２０２    描画印刷データ制御部
２０３    ユーザインタフェース制御部
２０４    印刷設定情報
２０７    印刷設定情報解析部
４００    設定画面
４０１    ユーザ名入力欄
４０３    カラーモノクロ設定入力欄
４０４    両面印刷設定入力欄
４０５    登録ボタン
４０６    削除ボタン
４０７    終了ボタン
２００１  検索部
３００１  変更許可入力欄
４００５  インストール許可入力欄
【図１】
2008217097.tif 000004
【図２】
2008217097.tif 000005
【図３】
2008217097.tif 000006
【図４】
2008217097.tif 000007
【図５】
2008217097.tif 000008
【図６】
2008217097.tif 000009
【図７】
2008217097.tif 000010
【図８】
2008217097.tif 000011
【図９】
2008217097.tif 000012
【図１０】
2008217097.tif 000013
【図１１】
2008217097.tif 000014
【図１２】
2008217097.tif 000015
【図１３】
2008217097.tif 000016
【図１４】
2008217097.tif 000017
【図１５】
2008217097.tif 000018
【図１６】
2008217097.tif 000019
【図１７】
2008217097.tif 000020
【図１８】
2008217097.tif 000021